(57)【要約】      （修正有）【課題】無線ネットワーク通信における支配的な干渉を緩和する方法を提供する。【解決手段】無線通信ネットワークにおける別のデバイスによって支配的に干渉を受けているデバイスと通信することによって、利用されている帯域幅の一部をブランクすることを容易にする。これら帯域幅の一部は、例えば制御データのような重要なデータに関連し、通信しているデバイスのうちの１または複数は、支配的に干渉しているデバイスに対して、これら帯域幅の一部をブランクすることを要求しうる。通信しているデバイスは、実質的に、支配的な干渉のない、ブランクされた部分によってデータを送信しうる。さらに、支配的に干渉しているデバイスは、１または複数の通信しているデバイスから相互にブランクすることを要求しうる。【選択図】図５
2014112878.tif 000002
【特許請求の範囲】
【請求項１】
無線ネットワーク通信における支配的な干渉を緩和する方法であって、
複数の通信デバイスによって利用される１または複数の制御チャネルにおける干渉を判定することと、
前記１または複数の制御チャネルのうち、前記干渉を低減するためにブランクすべき部分を選択することと、
前記１または複数の制御チャネルのうちの選択された部分における電力の少なくとも一部をブランクすることと
を備える方法。
【請求項２】
干渉レベルを示すインジケーションを受信することをさらに備え、
前記ブランクされた電力の少なくとも一部が、前記干渉レベルに関連している請求項１に記載の方法。
【請求項３】
前記複数の通信デバイスによって利用される１または複数の制御チャネルで引き起こされた干渉を示すインジケーションを受信することをさらに備える請求項１に記載の方法。
【請求項４】
前記複数の通信デバイスのうちの少なくとも１つによって干渉を受ける帯域幅の部分に関する情報を、通信デバイスによって前記部分をブランクすることを要求するために、この通信デバイスに送信することをさらに備える請求項３に記載の方法。
【請求項５】
前記複数の通信デバイスのうちの少なくとも１つからプリアンブルを受信することをさらに備え、
前記干渉を示すインジケーションが、前記通信デバイスのパス・ロスを、前記プリアンブルに少なくとも部分的に基づいて推定することに関連する推論から得られる請求項３に記載の方法。
【請求項６】
前記干渉を示すインジケーションが、前記複数の通信デバイスのうちの１または複数から受信される請求項３に記載の方法。
【請求項７】
ブランクすることが望まれる１または複数の制御チャネルのサブセットに関する情報を、前記複数の通信デバイスのうちの少なくとも１つから受信することをさらに備える請求項１に記載の方法。
【請求項８】
前記ブランクすることを補償するために、帯域幅のうちの別の部分において高い電力で送信することをさらに備える請求項１に記載の方法。
【請求項９】
無線通信装置であって、
支配的な干渉に関して受信された情報にしたがって、前記支配的な干渉を緩和するために、多元接続無線ネットワークにおける別の通信リンクの１または複数の制御チャネルをブランクするように構成された少なくとも１つのプロセッサと、
前記少なくとも１つのプロセッサに結合されたメモリと
を備える無線通信装置。
【請求項１０】
前記少なくとも１つのプロセッサはさらに、ブランクすべき前記１または複数の制御チャネルのためのブランク係数を決定するように構成された請求項９に記載の無線通信装置。
【請求項１１】
前記少なくとも１つのプロセッサはさらに、干渉を受けたデバイスから受信したプリアンブルに少なくとも部分的に基づいてパス・ロスを推定するように構成され、
前記ブランク係数は、前記推定されたパス・ロスに少なくとも部分的に基づいて決定される請求項１０に記載の無線通信装置。
【請求項１２】
前記情報は、前記ブランクすることを要求する別の通信の、支配的に干渉を受けたデバイスから受信される請求項９に記載の無線通信装置。
【請求項１３】
前記少なくとも１つのプロセッサはさらに、前記支配的に干渉を受けたデバイスから相互にチャネルをブランクすることを要求するように構成された請求項１２に記載の無線通信装置。
【請求項１４】
前記ブランクすることは、フレームのセット内の別の通信の制御チャネルのサブセットで実行され、
おのおののフレームは、複数のＯＦＤＭシンボルを備える請求項９に記載の無線通信装置。
【請求項１５】
前記少なくとも１つのプロセッサはさらに、前記チャネルをブランクすることによって生じたロスを補償するために、ブランクされていないチャネルにおいてより高い電力で送信するように構成された請求項９に記載の無線通信装置。
【請求項１６】
干渉を緩和するために、制御チャネルをブランクする無線通信装置であって、
別のデバイス間の別の通信のために、前記無線通信装置の支配的な干渉を判定する手段と、
前記別の通信の品質を向上するために、ブランクすべき１または複数の制御チャネルを決定する手段と、
前記１または複数の制御チャネルをブランクする手段と
を備える無線通信装置。
【請求項１７】
前記無線通信装置の干渉レベルを判定する手段をさらに備え、
前記干渉レベルは、前記ブランクする手段によって利用される請求項１６に記載の無線通信装置。
【請求項１８】
前記ブランクすべき制御チャネルは、前記別のデバイスのうちの少なくとも１つから受信した情報に少なくとも部分的に基づいて決定される請求項１６に記載の無線通信装置。
【請求項１９】
前記制御チャネルは、帯域幅のうちの１または複数の隣接したフレームにわたって反復する請求項１６に記載の無線通信装置。
【請求項２０】
前記ブランクすることは、前記帯域幅のうちの１または複数の隣接したフレームのサブセットについて実行される請求項１９に記載の無線通信装置。
【請求項２１】
前記別のデバイスのうちの少なくとも１つから、相互にブランクすることを要求する手段をさらに備える請求項１６に記載の無線通信装置。
【請求項２２】
コンピュータ読取可能媒体を備えるコンピュータ・プログラム製品であって、
前記コンピュータ読取可能媒体は、
少なくとも１つのコンピュータに対して、複数の通信デバイスによって利用される１または複数の制御チャネルにおける干渉を判定させるためのコードと、
前記少なくとも１つのコンピュータに対して、前記干渉を低減するために、ブランクすべき前記１または複数の制御チャネルの部分を選択させるためのコードと、
前記少なくとも１つのコンピュータに対して、前記１または複数の制御チャネルのうちの選択された部分について、電力の少なくとも一部をブランクさせるためのコードと
を備えるコンピュータ・プログラム製品。
【請求項２３】
前記少なくとも１つのコンピュータに対して、干渉レベルを示すインジケーションを受信させるためのコードをさらに備え、
前記ブランクされた電力の一部は、前記干渉レベルに関連する請求項２３に記載のコンピュータ・プログラム製品。
【請求項２４】
無線通信装置であって、
別のデバイス間の別の通信に対する前記無線通信装置の支配的な干渉を判定し、前記別の通信の品質を高めるために、ブランクすべき１または複数の制御チャネルを決定するように構成されたプロセッサと、
前記プロセッサに結合されたメモリと
を備える無線通信装置。
【請求項２５】
無線通信ネットワークにおける制御チャネルをブランクすることを要求する方法であって、
デバイスとの通信に対する、１または複数の制御チャネルにおける支配的な干渉体による干渉を検出することと、
前記支配的な干渉体から、前記１または複数の制御チャネルのサブセットをブランクすることを要求することと、
前記１または複数の制御チャネルで前記デバイスへ制御データを送信することと
を備える方法。
【請求項２６】
前記支配的な干渉体によってブランクされるべき制御チャネルを示すインジケーションを受信することをさらに備える請求項２５に記載の方法。
【請求項２７】
前記支配的な干渉体の１または複数の制御チャネルをブランクする要求を受信することをさらに備える請求項２５に記載の方法。
【請求項２８】
前記要求された制御チャネルの一部をブランクすることをさらに備える請求項２７に記載の方法。
【請求項２９】
前記ブランクすることを要求するネットワーク構成要素を導入することをさらに備える請求項２５に記載の方法。
【請求項３０】
無線通信装置であって、
支配的な干渉体から１または複数の制御チャネルをブランクすることを要求し、前記制御チャネルによって制御データを受信デバイスへ送信するように構成された少なくとも１つのプロセッサと、
前記少なくとも１つのプロセッサに結合されたメモリと
を備える無線通信装置。
【請求項３１】
前記少なくとも１つのプロセッサはさらに、前記支配的な干渉体がブランクする１または複数のチャネルを決定するように構成された請求項３０に記載の無線通信装置。
【請求項３２】
前記少なくとも１つのプロセッサはさらに、１または複数の制御チャネルを相互にブランクする要求を前記支配的な干渉体から受信するように構成された請求項３０に記載の無線通信装置。
【請求項３３】
前記少なくとも１つのプロセッサはさらに、前記要求にしたがって前記支配的な干渉体の１または複数の制御チャネルをブランクするように構成された請求項３２に記載の無線通信装置。
【請求項３４】
前記少なくとも１つのプロセッサはさらに、前記支配的な干渉体に対して前記ブランクする要求を送信するために、前記受信デバイスを利用するように構成された請求項３０に記載の無線通信装置。
【請求項３５】
干渉を受けた帯域幅のうちの１または複数の部分をブランクすることを要求する無線通信装置であって、
帯域幅のうちの１または複数の部分における、支配的な干渉体による干渉を検出する手段と、
前記帯域幅のうちの１または複数の部分を前記支配的な干渉体からブランクすることを要求する手段と、
前記帯域幅のうちの１または複数の部分でデータを送信する手段と
を備える無線通信装置。
【請求項３６】
前記帯域幅のうち、前記支配的な干渉体がブランクしている１または複数の部分に関する情報を受信する手段をさらに備える請求項３５に記載の無線通信装置。
【請求項３７】
前記支配的な干渉体に関する帯域幅のうちの１または複数の部分を相互にブランクすることに関連する要求を前記支配的な干渉体から受信する手段をさらに備える請求項３５に記載の無線通信装置。
【請求項３８】
前記支配的な干渉体によって要求された、前記帯域幅のうちの１または複数の部分のうちの少なくともサブセットをブランクする手段をさらに備える請求項３５に記載の無線通信装置。
【請求項３９】
前記ブランクする要求が、１または複数の別のデバイスによって前記支配的な干渉体へ送信される請求項３５に記載の無線通信装置。
【請求項４０】
コンピュータ読取可能媒体を備えるコンピュータ・プログラム製品であって、
前記コンピュータ読取可能媒体は、
少なくとも１つのコンピュータに対して、１または複数の制御チャネルでの、デバイスとの通信における支配的な干渉体による干渉を検出させるためのコードと、
前記少なくとも１つのコンピュータに対して、前記支配的な干渉体から、前記１または複数の制御チャネルのサブセットをブランクすることを要求させるためのコードと、
前記少なくとも１つのコンピュータに対して、前記１または複数の制御チャネルにおいて、前記デバイスへ制御データを送信させるためのコードと
を備えるコンピュータ・プログラム製品。
【請求項４１】
前記少なくとも１つのコンピュータに対して、前記支配的な干渉体によってブランクされるべき制御チャネルを示すインジケーションを受信させるためのコードをさらに備える請求項４０に記載のコンピュータ・プログラム製品。
【請求項４２】
無線通信装置であって、
帯域幅のうちの１または複数の部分における支配的な干渉体による干渉を検出し、前記帯域幅のうちの１または複数の部分を前記支配的な干渉体からブランクすることを要求するように構成されたプロセッサと、
前記プロセッサに結合されたメモリと
を備える無線通信装置。
【発明の詳細な説明】
【関連出願に対する相互参照】
【０００１】
本願は、２００７年１１月１５日に出願された"CONTROL CHANNEL BLANKING"と題された米国仮出願６０／９８８，３５６号の利益を主張する。上記出願の全体は、参照によって本明細書に組み込まれる。
【技術分野】
【０００２】
以下の記載は、一般に無線通信に関し、さらに詳しくは、無線通信チャネルにおける干渉に関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわちダウンリンク）は、基地局からモバイル・デバイスへの通信リンクを称し、逆方向リンク（すなわちアップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
ＭＩＭＯシステムはデータ送信のために一般に、複数（ＮＴ個）の送信アンテナと複数（ＮＲ個）の受信アンテナとを適用する。アンテナは、基地局とモバイル・デバイスとの両方に関連しており、一例では、無線ネットワークにおけるデバイス間の双方向通信を可能とする。しかしながら、そのようなシステムは、複数の送信機および複数の受信機のための複数のアンテナが同時に通信すると、関連する干渉を有しうる。この干渉に対する従来の解決策は、モバイル・デバイスが、ほとんどの場合において、最も高い信号品質を有する基地局に接続した場合に、干渉レベルを計算することと、干渉レベルに対処することとを含む。しかしながら、他の技術および機能の出現によって、接続点の優先度は、信号品質に基づかない場合もありうる。
【発明の概要】
【０００６】
以下は、１または複数の実施形態の基本的な理解を提供するために、これら実施形態の簡単な概要を示す。この概要は、考えられるすべての実施形態の広範な概観ではなく、すべての実施形態の重要要素または決定的要素を特定することでもなく、任意またはすべての実施形態の範囲を線引きすることも意図されていない。その唯一の目的は、１または複数の実施形態のいくつかの概念を、後に示されるより詳細な記載に対する前置きとして、より簡単な形式で表すことである。
【０００７】
１または複数の実施形態および対応する開示によれば、さまざまな態様が、別の送信デバイスが受信機と通信できるように、１または複数の送信デバイスの通信チャネルをブランクする（blanking）ことを容易にすることに関連して記載される。ここで、ブランクする送信デバイスは、一般に、別の送信デバイスおよび受信機と干渉する。これに関し、受信デバイスは、最も高い信号対雑音比（ＳＮＲ）を有する送信デバイスである必要のない送信デバイスと通信しうる。したがって、受信機が通信するアクセス・ポイントに、ダイバーシティがありうる。
【０００８】
関連する態様によれば、無線ネットワーク通信における支配的な干渉を緩和する方法が提供される。この方法は、複数の通信デバイスによって利用される１または複数の制御チャネルにおける干渉を判定することを含みうる。この方法はさらに、干渉を低減するためにブランクすべき１または複数の制御チャネルの部分を選択することと、１または複数の制御チャネルの選択された部分の電力の少なくとも一部をブランクすることとを含みうる。
【０００９】
別の態様は、無線通信装置に関する。この無線通信装置は、干渉に関して受信された情報にしたがって、支配的な干渉を緩和するために、多元接続無線ネットワークにおける別の通信リンクのうちの１または複数の制御チャネルをブランクするように構成された少なくとも１つのプロセッサを含みうる。この無線通信装置はまた、少なくとも１つのプロセッサに結合されたメモリを含みうる。
【００１０】
また別の態様は、干渉を緩和するために、制御チャネルをブランクする無線通信装置に関する。この無線通信装置は、別のデバイス間の別の通信のため、無線通信装置の支配的な干渉を判定する手段を含みうる。この無線通信装置はまた、別の通信の品質を高めるために、ブランクすべき１または複数の制御チャネルを決定する手段と、１または複数の制御チャネルをブランクする手段とを含みうる。
【００１１】
また別の態様は、コンピュータ読取可能媒体を有するコンピュータ・プログラム製品に関する。このコンピュータ読取可能媒体は、少なくとも１つのコンピュータに対して、複数の通信デバイスによって利用される１または複数の制御チャネルにおける干渉を判定させるためのコードを含む。コンピュータ読取可能媒体はさらに、少なくとも１つのコンピュータに対して、干渉を低減するためにブランクすべき１または複数の制御チャネルの部分を選択させるためのコードと、少なくとも１つのコンピュータに対して、１または複数の制御チャネルの選択された部分の電力の少なくとも一部をブランクさせるためのコードとを含みうる。
【００１２】
別の態様によれば、無線通信システムにおける装置は、別のデバイス間の別の通信のために、無線通信装置の支配的な干渉を判定するように構成されたプロセッサを含みうる。このプロセッサはまた、別の通信の品質を高めるために、ブランクすべき１または複数のチャネルを決定し、１または複数の制御チャネルをブランクするように構成されうる。さらに、この装置は、プロセッサに結合されたメモリを含みうる。
【００１３】
さらなる態様によれば、無線通信ネットワークにおける制御チャネルをブランクすることを要求する方法が提供される。この方法は、１または複数の制御チャネルにおける支配的な干渉体による、デバイスとの通信における干渉を検出することを含みうる。この方法はさらに、支配的な干渉体から１または複数の制御チャネルのサブセットをブランクすることを要求することと、１または複数の制御チャネルで制御データをデバイスへ送信することとを含みうる。
【００１４】
別の態様は、無線通信装置に関する。この無線通信装置は、支配的な干渉体から１または複数の制御チャネルをブランクすることを要求し、制御チャネルで制御データを受信デバイスへ送信するように構成される少なくとも１つのプロセッサを含みうる。この無線通信装置はさらに、少なくとも１つのプロセッサに結合されたメモリを含みうる。
【００１５】
また別の態様は、干渉を受けた帯域幅の１または複数の部分をブランクすることを要求する無線通信装置に関する。この無線通信装置は、帯域幅の１または複数の部分における支配的な干渉体による干渉を検出する手段を備えうる。この無線通信装置はさらに、支配的な干渉体から帯域幅の一部をブランクすることを要求する手段と、帯域幅の一部でデータを送信する手段とを備えうる。
【００１６】
また別の態様は、コンピュータ読取可能媒体を有するコンピュータ・プログラム製品に関する。このコンピュータ読取可能媒体は、少なくとも１つのコンピュータに対して、１または複数の制御チャネルによるデバイスとの通信における支配的な干渉体による干渉を検出させるためのコードと、少なくとも１つのコンピュータに対して、１または複数の制御チャネルのサブセットを支配的な干渉体からブランクすることを要求させるためのコードとを含む。このコンピュータ読取可能媒体はさらに、少なくとも１つのコンピュータに対して、１または複数の制御チャネルで、制御データをデバイスへ送信させるためのコードを備えうる。
【００１７】
別の態様によれば、無線通信システムにおける装置が提供される。この装置は、支配的な干渉体による帯域幅の１または複数の部分における干渉を検出し、支配的な干渉体から帯域幅の部分をブランクすることを要求し、帯域幅の部分によってデータを送信するように構成されたプロセッサを含む。さらに、この装置は、プロセッサに結合されたメモリを備えうる。
【００１８】
前述した目的および関連する目的を達成するために、１または複数の実施形態は、以下に十分説明され、特に特許請求の範囲で指摘される特徴を備える。以下の記載および関連する図面は、１または複数の実施形態のある例示的な態様を詳細に述べる。これらの態様は、さまざまな実施形態の原理が適用されるさまざまな方法のうちのほんのいくつかを示すのみであり、記載された実施形態は、そのようなすべての態様およびそれらの均等物を含むことが意図される。
【図面の簡単な説明】
【００１９】
【図１】図１は、本明細書に記載されたさまざまな態様にしたがう無線通信システムの実例である。
【図２】図２は、無線通信環境において適用される通信装置の実例である。
【図３】図３は、帯域幅のうち支配的に干渉を受けた部分をブランクし、そうでない場合には送信することを有効にする無線通信システムの実例である。
【図４】図４は、互いに干渉するデバイスの帯域幅の実例である。
【図５】図５は、帯域幅のうちの１または複数の部分をブランクすることを容易にする方法の実例である。
【図６】図６は、帯域幅のうちの１または複数の部分をブランクすることを要求することを容易にする方法の実例である。
【図７】図７は、帯域幅のうちの１または複数の部分をブランクすることを要求することを容易にするモバイル・デバイスの実例である。
【図８】図８は、帯域幅のうちの１または複数の部分をブランクすることを要求するシステムの実例である。
【図９】図９は、本明細書に記載されたさまざまなシステムおよび方法と連携して適用される無線ネットワーク環境の実例である。
【図１０】図１０は、帯域幅のうちの１または複数の部分をブランクするシステムの実例である。
【図１１】図１１は、帯域幅のうちの一部をブランクすることを要求し、帯域幅のうちの一部でデータを送信するシステムの実例である。
【発明を実施するための形態】
【００２０】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明からである。他の事例では、１または複数の実施形態の記載を容易にするために、周知の構成およびデバイスがブロック図形式で示される。
【００２１】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２２】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスと通信するために利用され、アクセス・ポイント、ノードＢ、あるいはその他いくつかの専門用語で称されうる。
【００２３】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２４】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からドキュメントに記述されている。ＣＤＭＡ２０００およびＵＭＢは、「第３世代パートナシップ計画プロジェクト」（３ＧＰＰ２）と命名された組織からドキュメントに記述されている。
【００２５】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２６】
基地局１０２は、例えばアクセス端末１１６およびアクセス端末１２２のような１または複数のアクセス端末と通信することができる。しかしながら、基地局１０２は、アクセス端末１１６およびアクセス端末１２２に類似した実質的に任意の数のアクセス端末と通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。さらに、また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６、１２２は、図示するように、ピア・トゥ・ピアまたはアド・ホック技術を用いて互いにダイレクトに通信しうる。
【００２８】
例によれば、システム１００は、複数入力複数出力（ＭＩＭＯ）通信システムでありうる。さらに、システム１００は、通信チャネル（例えば、順方向リンク、逆方向リンク）を分割するために、例えばＦＤＤ、ＴＤＤ等のような実質的に任意のタイプのデュプレクス技術を適用しうる。通信チャネルは、１または複数の論理チャネルを備えうる。そのような論理チャネルは、モバイル・デバイス１１６、１２２と基地局１０２との間で（例えば、ピア・トゥ・ピア構成におけるモバイル・デバイス１１６からモバイル・デバイス１２２へ）制御データを送信するために提供されうる。一例において、モバイル・デバイス１１６、１２２は、割り当てられた通信チャネルに関するパラメータを示すために、基地局１０２にチャネル品質情報（ＣＱＩ）を送信する。このＣＱＩ制御データに基づいて、基地局１０２は、例えば、モバイル・デバイス１１６および／またはモバイル・デバイス１２２へ追加の通信チャネル・リソースを割り当てうる。それに加えて、基地局１０２は、例えば、モバイル・デバイス１１６、１２２からデータを受信したことに関するアクノレッジメント情報のような制御データを、制御チャネルを介してモバイル・デバイス１１６および／またはモバイル・デバイス１２２へ送信しうる。
【００２９】
一例において、基地局１０２は、基地局１０２が強い干渉体である場合、別のデバイスまたは基地局間の通信を可能にするために、帯域幅の一部をブランクする。これは、チャネルを送信するために使用される電力を低減することを意味する。したがって、デバイスは、地理的な好ましさや最大の信号対雑音比（ＳＮＲ）に必ずしも基づく必要はなく、要望に応じて、アクセス・ポイントまたは基地局へ接続しうる。例えば、図示しないが、モバイル・デバイス１２２は、基地局１０２よりも低いＳＮＲを有する別の基地局と通信しうる。この通信は、基地局１０２がモバイル・デバイス１２２のために良好な信号を有しているので、干渉する。モバイル・デバイス１２２が別の基地局と効率的に通信することを可能にするために、モバイル・デバイス１２２が、別の基地局と通信するためにこれらチャネルを利用できるように、基地局１０２は、あるチャネルにおける送信をブランクしうる。ブランクすることは、チャネルからすべての電力を取り除くことを必ずしも伴う必要はないことが認識されるべきである。それに加えて、ブランクすることによって取り除かれる電力は、設定可能であるか、および／または、例えば、測定された干渉ベル、あるいは、通信しているデバイスの具体的な要件に依存しうる。ダウンリンクの制御チャネルを基地局がブランクすることに加えて、あるいは、その代わりに、例えば、モバイル・デバイス１１６および／またはモバイル・デバイス１２２が、アップリンクの制御チャネルをブランクしうることが認識されるべきである。
【００３０】
ブランクすることが、別のデバイスが通信できる程度にチャネルへの電力を低減することを含む場合、ブランクしている基地局１０２と通信しているデバイス（例えば、モバイル・デバイス１１６）は、ブランクされたチャネルによって未だにデータを受信しうるが、ＳＮＲは、通常の送信ほど高くはない（例えば、通信は、深いフェードとして現れる）。それに加えて、ブランクされた帯域幅は、一例において、基地局１０２が、ブランクされていないチャネルにおいて送信するために利用される電力を増加させることによって、補償される。リソースにおける送信をブランクすることは、ＯＦＤＭＡ構成に限定されるのではなく、この構成は、説明を助けるために示されていることが認識されるべきである。例えば、実質的に任意の無線通信構成が、本明細書に記載された機能を利用しうる。
【００３１】
図２に移って、無線通信環境において適用される通信装置２００が例示されている。この通信装置２００は、基地局またはその一部、モバイル・デバイスまたはその一部、あるいは、無線通信環境で送信されるデータを受信する実質的に任意の通信装置でありうる。この通信装置２００は、他のデバイスと通信している通信装置２００によって引き起こされる干渉に関連する情報を受信する干渉情報受信機２０２と、この干渉に関連する情報に少なくとも部分的に基づいて、ある通信帯域幅部分をブランクする帯域幅ブランカ２０４と、通信帯域幅で送信し、かつ、帯域幅ブランカ２０４によって決定された帯域幅部分のブランク状況に少なくとも部分的に基づいて送信電力を低減または増加する送信機２０６とを含みうる。
【００３２】
例によれば、干渉情報受信機２０２は、別のデバイス間の他の通信との通信装置２００の干渉に関連する情報を獲得しうる。この情報は、通信装置２００によって認識または推論されるか、および／または、１または複数の別のデバイスまたは構成要素によって提供されうる。この情報は、互いに通信する複数の別のデバイスによって利用される帯域幅部分を備えうる。一例では、これら部分は、例えば制御データのような重要なデータのために利用されうる。例えば、ＯＦＤＭＡ無線ネットワーク構成では、この情報は、通信装置２００によって干渉を受けている通信中の別のデバイスによって、制御チャネルまたはその他のチャネルとして利用される１または複数のサブキャリアのロケーションを備える（例えば、通信装置２００は、関連する帯域幅またはチャネルを用いて別のデバイスと通信しうる）。帯域幅ブランカ２０４は、受信した情報で示されるチャネル（またはそのサブキャリア）のうちの１または複数をブランクしうる。
【００３３】
説明するように、ブランクすることは、電力の一部またはチャネルに関して、送信機２０６によって利用される実質的にすべての送信電力を取り除くことを含みうる。別の例において、受信した情報はさらに、通信装置２００の干渉レベルを含みうる。これによって、帯域幅ブランカ２０４は、すべての電力を取り除くのではなく、ブランクされたチャネルまたは帯域幅部分での送信機２０６による送信に使用される電力を低減できるようになり、低減されたレベルは、受信した干渉レベルと一致するようになる。チャネルがブランクされた場合、別のデバイスは、通信装置２００からの干渉無しで、所望の通信を達成しうる。通信装置２００は、干渉情報受信機２０２によって干渉情報を受信するが、チャネルまたは帯域幅の他の部分をいつブランクするかを決定しうることが認識される例えば、干渉情報受信機２０２は、（例えば、ＯＦＤＭＡ構成において）ブランクすべきあるチャネルに関連する情報を受信することができるが、おのおのの物理フレーム内のすべてのチャネルを必ずしもブランクする必要はなく、実際には、帯域幅ブランカ２０４が、ある物理フレームのみ、および、ある制御チャネルのみブランクすることを選択するか、あるいは、まったくブランクしないことを選択しうる。一例において、帯域幅ブランカ２０４はさらに、ブランクしていない帯域幅の部分の送信電力を上げるために利用されうる。一例では、これは、ブランク中に失われた帯域幅を考慮しうる。
【００３４】
一例によれば、通信装置２００は、帯域幅ブランカ２０４がブランクする帯域幅の部分に関連するブランク情報を、１または複数の別の通信デバイスへ通信しうる。この点に関し、デバイスは、互いの確実な通信を保証するために、帯域幅の部分におけるブランク・データおよび送信データ（例えば、制御データまたはその他）に依存しうる。さらに、別のデバイスのうちの１または複数が、通信装置２００によって利用されるチャネルを相互にブランクしうる。したがって、通信装置２００は、別のデバイスが代わりにブランクして欲しい帯域幅の部分とともに、ブランク情報を送信しうる。図示されたすべての構成要素が必要とされる訳ではないことが認識されるべきである。例えば、干渉情報受信機２０２は、オプションであって、これによって、帯域幅ブランカ２０４が、別の通信装置の制御チャネルをブランクできるようになる。一例では、ヘテロジニアスな構成の場合、帯域幅ブランカ２０４は、低電力の通信装置の制御チャネルをブランクしうる。
【００３５】
図３に示すように、関連する帯域幅部分をブランクすることによって、１または複数のデバイスの支配的な干渉を緩和しうる無線通信システム３００が例示される。このシステム３００は、複数の別のモバイル・デバイス（図示せず）と通信しうる基地局３０２を含む。モバイル・デバイス３０４は、無線通信サービスを容易にする基地局３１８と通信する。基地局３１８は、順方向リンク・チャネルによってモバイル・デバイス３０４に情報を送信しうる。さらに、基地局３１８は、逆方向リンク・チャネルによってモバイル・デバイス３０４から情報を受信しうる。さらに、システム３００は、ＭＩＭＯシステムでありうる。それに加えて、システム３００は、（例えば、３ＧＰＰのような）ＯＦＤＭＡ無線ネットワークで動作しうる。さらに、一例として、基地局３０２および基地局３１８において図示および説明する構成要素および機能は、それぞれにおいて存在することができ、および／または、逆にモバイル・デバイス３０４にも存在することができ、図示する構成は、説明を容易にするために、これらの構成要素を除外している。
【００３６】
基地局３０２は、他の通信デバイス（例えば、モバイル・デバイス３０４および基地局３１８）と基地局３０２との干渉に関連する情報を取得する干渉情報受信機３０６と、他のデバイスに関連する基地局３０２の干渉レベルを判定または推論するために利用されうるパス・ロス推定器３０８と、前述したように、他のデバイスによって利用されるチャネルをブランクしうるチャネル・ブランカ３１０と、基地局３０２が通信する他のデバイスへデータを送信する送信機３１２とを含む。一例では、干渉情報受信機３０６は、基地局３０２が干渉している通信に関連する情報を受信しうる。それに加えて、あるいは、その代わりに、パス・ロス推定器３０８は、基地局３０２と、（例えば、モバイル・デバイス３０４のように）基地局３０２の干渉を介する通信を試みるデバイスとの間で推定されたパス・ロスに少なくとも部分的に基づいて基地局３０２の干渉レベルを判定しうる。例えば、この情報は、パス・ロス推定値と区別されるので、干渉情報受信機３０６は、必ずしも必要ではないことが認識されるべきである。情報が受信されると、チャネル・ブランカ３１０は、干渉しているチャネルのうちの１または複数をブランクしうる（例えば、電力の一部または実質的にすべてを取り除く）。送信機３１２は、割り当てられた電力で送信し、もって、別のデバイスは、基地局３０２からの干渉なしで（あるいは、実質的にわずかな干渉で）通信できるようになる。
【００３７】
モバイル・デバイス３０４は、無線通信のためのアクセス・ポイントを選択するために使用されうるアクセス・セレクタ３１４と、１または複数の別のアクセス・ポイントまたは送信デバイスからの干渉を判定する干渉メジャラ（measurer）３１６とを含む。例によれば、モバイル・デバイス３０４は、アクセス・セレクタ３１４を用いて、無線通信を開始する基地局またはその他のデバイスを選択しうる。この例において、モバイル・デバイス３０４は、基地局３１８と通信することを選択しうる。これは、提供されているサービス、利用されているプロトコル、制限された関係のようなさまざまな理由によりうる。制限された関係としては、モバイル・デバイス３０４またはそのユーザが、基地局３０２へ接続する許可を持っていないとか、あるいは、例えば、基地局３１８が、ユーザの自宅にあるとか、基地局３０２では簡単に達成されないサービスやセキュリティを提供しうる他の領域にある場合である。それに加えて、基地局３０２および基地局３１８は、ヘテロジニアスに構成されたネットワークの一部であり、ここでは、モバイル・デバイス３０４またはそのユーザが、パス・ロスは低いがＳＮＲが悪い低電力の基地局に接続することを選択する等を行う。例えば、いくつかの場合では、基地局が、低い受信電力および低いＳＮＲを有している場合であっても、端末は、低いパス・ロスを有する低送信電力の基地局によってサービス提供されることが望ましい。これはありうる。なぜなら、低い電力の基地局は、全体としてネットワークへ低い干渉しかもたらさずに、モバイル・デバイスにサービス提供しうるからである。さらに、複数の低電力の基地局が、個別のユーザまたはモバイル・デバイスに同時にサービス提供し、単一のユーザ／デバイスにサービス提供する高電力の基地局に比べて、帯域幅をより効率的に使用できるようになる。
【００３８】
モバイル・デバイス３０４はさらに、ＷｉＦｉホットスポット、別のモバイル・デバイス、あるいは実質的にその他任意の送信エンティティと通信することを選択しうることが認識されるべきである。基地局３０２の送信強度および／または基地局３０２が近接していることにより、モバイル・デバイス３０４と基地局３１８との間の通信リンク上で干渉が生じうる。この干渉は、干渉メジャラ３１６によって測定され、一例として、ブランクすることを要求するために、基地局３０２へ送信されうる。１より多い基地局が支配的な干渉体になりうるので、ブランクする要求は、複数の干渉体のうちの実質的に任意の数の干渉体に送信されうる。
【００３９】
例によれば、基地局３０２は、自分が、モバイル・デバイス３０４／基地局３１８への通信に対する支配的な干渉体であると判定しうる。これは、例えば、モバイル・デバイス３０４のパイロット送信および／またはプリアンブル送信を見ることによって判定されうる。プリアンブルを用いて、モバイル・デバイス３０４によるプリアンブルの送信電力の割合と、基地局３０２によって受信されたプリアンブルの品質とを備えるパス・ロスが、パス・ロス推定器３０８によって推定されうる。パス・ロスが低い（例えば、指定されたしきい値より低い）場合、基地局３０２は、基地局３１８との通信に関してパス・ロスが悪いとの意味合い少なくとも部分的に基づいて、支配的な干渉体であると考えられうる。実際、この情報は、一例では、より確定的な計算のためのも同様にして取得されうる。この情報は、実質的に任意の方法および／またはデバイスによって取得され、モバイル・デバイス３０４から受信されたもの（例えば、モバイル・デバイス３０４は、基地局３１８によって送信されたプリアンブルを用いてパス・ロスを判定しうる）、無線通信ネットワークのその他の構成要素（例えば、基地局３１８またはその他のネットワーク構成要素）から受信されたもの等を含む。
【００４０】
一例において、基地局３０２が支配的な干渉体であると判定されると、干渉情報受信機３０６は、モバイル・デバイス３０４によって利用される干渉を受けたチャネル・ロケーションを受信または推論しうる。一例において、チャネル・ロケーションは、例えば制御チャネルのような重要なチャネルでありうる。通信装置３００は、関連するチャネルについて、送信機３１２によって使用される送信電力をブランクするために、チャネル・ブランカ３１０を利用しうる。ブランクすることは、所与のチャネルについて、送信機３１２から実質的にすべての電力を取り除くこと、および／または、単に電力を下げることを含みうる。この場合、ブランクすることは、基地局３０２が通信している別のデバイスに対して深いフェードとして現れる。そして、この通信において、悪影響はほとんどないだろう。さらに、ブランクすることの一部として、電力が、可変的に低減されうる。一例では、この程度は、パス・ロス推定器３０８からのパス・ロスに基づきうる。例えば、基地局３０２からモバイル・デバイス３０４へのパス・ロスが、基地局３１８およびモバイル・デバイス３０４のものと類似している場合、ブランクする程度は、基地局３０２のパス・ロスが、基地局３１８に関連するものよりも十分に低い場合ほど十分である必要はない。それに加えて、基地局３０２は、チャネルがブランクされていない間に送信するために使用される電力を増加しうる。前述したように、本明細書で説明した態様は、チャネルに限定されず、帯域幅の関連する部分に関してブランクがなされるように、帯域幅の実質的に任意の部分を用いて利用されうることが認識されるべきである。さらに、ブランクされた帯域幅の部分は、一例として、所与の時間期間について、変化しうる。
【００４１】
別の例において、ブランクすることは、基地局３０２が、モバイル・デバイス３０４の所与のチャネルをブランクする場合、モバイル・デバイス３０４が、基地局３０２によって利用されているチャネルをブランクできる（構成要素は図示していないが、前述したように存在しうる）ように、相互的でありうる。したがって、基地局３０２は、モバイル・デバイス３０４／基地局３１８との通信のダウンリンクにおける制御チャネルをブランクしていることをモバイル・デバイス３０４へ通知し、モバイル・デバイス３０４は、それにしたがって、基地局３０２と別のデバイスとの間の通信に関連するアップリンク制御チャネルをブランクしうる。これは望ましいことである。なぜなら、例えば、パス・ロスは、アップリンクとダウンリンクとで類似しうるからである。制御チャネル・ロケーションに関する情報は、基地局３０２およびモバイル・デバイス３０４（および／または基地局３１８）によって交換され、受信デバイスのアクティビティから推定され、無線通信ネットワークの別の構成要素から受信され、１または複数の設定パラメータとして設定される等がなされることが認識されるべきである。
【００４２】
別の例において、モバイル・デバイス３０４は、干渉メジャラ３１６を用いて、関連するチャネルにおける基地局３０２の干渉レベルを判定し、関連するチャネルをブランクすることを基地局３０２に明示的に要求しうる。例えば、モバイル・デバイス３０４は、この要求を、専用制御チャネル、データ・チャネル等を介して基地局３０２へ送信しうる。それに加えて、モバイル・デバイス３０４は、この要求を基地局３１８へのオーバ・ザ・エア送信によって基地局３０２へ送信するために、別のネットワーク構成要素を用いて、基地局３１８、基地局３０２、および／または、例えば中間的な構成要素間のバックホール・リンクを用いて、例えば基地局３１８のようなその他の構成要素を利用しうる。別の例において、基地局３０２は、領域内をローミングしている他のモバイル・デバイスから、基地局３１８によって利用される制御チャネルに関する情報を受信しうる。
【００４３】
ブランク要求は、あるチャネル、指定された時間期間等にわたる帯域幅の一部（例えば、サブキャリア）等に関連しうる。このブランク要求はまた、例えば、時間にわたる反復係数、あるいは、一例において、１または複数のフレームまたはＯＦＤＭシンボルのようなその他の帯域幅測定値を備えうる。さらに、あるいは、その代わりに、モバイル・デバイス３０４は、ブランクすることが引き起こることを要求する各インスタンスにおいて、ブランクする要求を送信しうる。基地局３０２は、この要求を許可する必要は無いか、あるいは、この要求の一部を許可しうることが認識されるべきである。確かに、基地局３０２は、完全なアクティブ状態ではないモバイル・デバイス３０４について、アクティビティ間隔に関する情報を受信し、モバイル・デバイス３０４がアクティブである間隔においてのみブランクしうる。例えば、それに加えて、基地局３０２は、決定したブランク・スキームをモバイル・デバイス３０４へ送信するので、モバイル・デバイス３０４は、有利なことに、基地局３１８との確実な通信を保証するために、この情報を使用しうる。ブランクすることに対する要求を送信するために説明された技術のうちの１または複数を用いて、ブランク情報が送信されうることが認識されるべきである。さらに、基地局３０２は、ブランクすることが要求されない場合、送信電力を増加しうる。説明した機能は、逆に基地局３０２がモバイル・デバイス３０４で示された構成要素を備えるアップリンク・チャネルの場合にも実現されうることが認識されるべきである。この観点において、基地局３０２は、モバイル・デバイス３０４がそのアップリンク制御チャネルをブランクすることを要求し、モバイル・デバイス３０４が、サブキャリアの一部でこの要求を許可しうる。さらに、既に説明し図示したような機能を実現するために、リストされたすべての構成要素が必ずしも必要とされるのではなく、干渉情報受信機３０６は、必ずしもすべての構成において必要とされる訳ではない。
【００４４】
図４に示すように、別のデバイスと通信する送信機および受信機のための帯域幅区分の例が示される。４０２では、送信機ＴＸ＿Ａのための帯域幅区分が示され、４０４では、受信機ＲＸ＿Ｂのための実質的に同じ時間および周波数における帯域幅区分が示される。一例において、これら帯域幅区分は、実質的に同じ時間および周波数のＯＦＤＭシンボルを示しうる。それぞれ別のデバイスと通信するためにＴＸ＿ＡおよびＲＸ＿Ｂによって利用されるチャネルは、ＯＦＤＭシンボルの実質的に任意のサブキャリアとして示され、たとえば４０６および４０８のように並んだサブキャリアは、ブランクすることが望まれるものを表し（一例では、サブキャリアは、１または複数の制御チャネルを備え）、例えば４１０および４１２のように“Ｘ”を有するサブキャリアは、ブランクされたサブキャリアを表しうる。
【００４５】
一例では、既に述べたように、ＴＸ＿Ａは、別の受信機とデータを通信し、ＲＸ＿ＡおよびＲＸ＿Ｂは、別の送信機ＴＸ＿Ｂと通信しうる。しかしながら、説明するように、ＴＸ＿Ａは、ＴＸ＿Ｂと通信しているＲＸ＿Ｂを支配的に干渉しうる。したがって、説明するように、これら技術のうちの１または複数を用いて、ＲＸ＿Ｂは、逆に、ＴＸ＿Ａが、所望のサブキャリア（あるいは、多くのサブキャリアによって表されうるチャネル）をブランクすることを要求しうる。ＲＸ＿ＢおよびＴＸ＿Ａは、所望のサブキャリアを相互にブランクしうることが認識されるべきである。図示するように、ＴＸ＿Ａは、ＲＸ＿Ｂに対して、サブキャリア４０６をブランクするように要求する。これは４１２においてなされ、ＲＸ＿Ｂは、ＴＸ＿Ａに対して、サブキャリア４０８をブランクするように要求する。これは、４１０においてなされる。この点において、ＴＸ＿ＡおよびＲＸ＿Ｂは、互いに干渉することなく、それぞれ別のデバイスと通信しうる。さらに、説明するように、ブランクすることがないサブキャリアでは、一例において、ブランクすることによる帯域幅におけるロスを補償するために、より高い電力で送信されうる。さらに、ブランクすることは、サブキャリアから実質的にすべての電力を取り除くこと、あるいは、前述したように決定された干渉レベルにしたがって電力を低減することを含みうる。
【００４６】
図５および図６を参照して、干渉を受けている帯域幅部分をブランクすることに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００４７】
図５に移って、別のデバイス間での通信における干渉を緩和するために、帯域幅の一部をブランクすることを容易にする方法５００が例示される。５０２では、支配的な干渉に関する情報が受信される。例えば、この情報は、前述したように、多くのデバイスによって受信されるか、または、送信されたプリアンブルを含む多くの要因に基づいて推論されうる。この情報は、支配的な干渉が生じる帯域幅部分を備えうるので、別のデバイスは、互いに効率的に通信することができない。５０４では、ブランクする帯域幅部分が決定される。例えば、その部分は、支配的な干渉に関連する情報の一部として、別のデバイスから要求されうる。決定された部分は、要求されたもののうちのサブセットでありうる。一例において、これら要求された部分は、すべての所与の時間について、１または複数の部分（例えば、フレームまたはＯＦＤＭシンボル）として指定されうる。そして、決定された部分は、時間期間のサブセットにわたりうる。それに加えて、または、その代わりに、ブランクする部分は、支配的な干渉の情報から推論されうる。
【００４８】
５０６では、ブランク係数が決定される。ブランク係数は、ブランクされた部分から電力が取り除かれるべき程度を表す。例えば、ブランク係数は、実質的にすべての電力が、帯域幅の一部から取り除かれるべきであること、あるいは、電力の一部が取り除かれねばならないことを示しうる。一例において、前述したように、情報は、干渉レベルに関連して受信または推論されうる。干渉を受けたデバイスが、ブランク中にすべての電力を取り除くことなく、効率的に通信できるように、この情報を用いて、ブランク係数が設定されうる。５０８では、決定された係数にしたがって、帯域幅の一部がブランクされうる。ある場合には、ブランクすることは、無信号ではなく、深いフェードとして受信されうることが認識されるべきである。この点において、ブランクされた通信は、他の送信ほどＳＮＲは良くはないが、未だに重要である。
【００４９】
図６に示すように、支配的な干渉体から、帯域幅の一部をブランクすることを容易にする方法６００が例示される。６０２では、送信を受信中の支配的な干渉体が識別される。例えば、地理的に最も望ましい訳でもなく、あるいは、他のアクセス・ポイントと比較して最も好ましいＳＮＲを持つ訳でもないアクセス・ポイントとの通信が生じうる。しかしながら、例えば、これらの間に関連付けられたサービスを利用するために、アクセス・ポイントとの通信が望まれうる。したがって、通信を支配的に干渉する（例えば、最適なＳＮＲを持つか、または地理的に好ましい）デバイスが存在しうる。６０４では、帯域幅のうちのある部分をブランクせよとの要求が、支配的な干渉体に送信される。説明するように、この部分は、一例においては、例えば１または複数のＯＦＤＭシンボルのような論理通信チャネルでありうる。ブランクすることを要求することによって、より信頼性の高い通信が、帯域幅の一部によって達成されうる。
【００５０】
６０６では、ブランクするように要求された帯域幅部分で、関連データが送信されうる。一例において、この関連データは、例えば制御データ（例えば、チャネル品質情報、および／または、アクノレッジメント・データ）のように、効率的な通信のために重要なデータでありうる。ブランクせよとの要求が成功し、支配的な干渉体が、要求されたデータ部分について低い電力しか有しないと仮定すると、関連するデータは、実質的な干渉無く通信されうる。６０８では、支配的な干渉体によるブランクを返すために、支配的な干渉体によって要求されると、帯域幅の一部が、ブランクされうる。この点において、支配的な干渉体は、さらに、１または複数のデバイスとの効率的な通信のために、チャネルまたは帯域幅のある部分について、低下した干渉を享受しうる。
【００５１】
本明細書で記載された１または複数の態様にしたがって、説明するように制御情報を送信するための帯域幅部分を選択することに関し、推論がなされうることが認識されるだろう。本明細書で使用されるように、「推論する」または「推論」という用語は一般に、イベントおよび／またはデータによって取得されるような観察のセットから、システム、環境、および／または、ユーザの状態を推理または推論するプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５２】
一例によれば、上述した１または複数の方法は、干渉を受けたデバイスのアクティビティに基づいて、支配的な干渉体であること、干渉が別のデバイス間の通信を禁止する範囲、ブランクする帯域幅の部分に関する推論を行うことと、ブランク係数を決定することと、ブランクを保証するために電力が増加されうるチャネル、１または複数のデバイスから互いにブランクする可能性を判定すること、等を含みうる。
【００５３】
図７は、帯域幅のうち高い干渉を受けた部分のブランクを要求することと、支配的な干渉体の帯域幅を相互にブランクすることを容易にするモバイル・デバイス７００の例示である。モバイル・デバイス７００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機７０２を備えうる。受信機７０２は、受信したシンボルを復調し、それらをチャネル推定のためにプロセッサ７０６へ提供する復調器７０４を備えうる。プロセッサ７０６は、受信機７０２によって受信された情報を分析すること、および／または、送信機７１８による送信のための情報を生成することに特化されたプロセッサ、モバイル・デバイス７００の１または複数の構成要素を制御するプロセッサ、および／または、受信機７０２によって受信された情報を分析することと、送信機７１６による送信のための情報を生成することと、モバイル・デバイス７００のうちの１または複数の構成要素を制御することとのすべて行うプロセッサでありうる。
【００５４】
モバイル・デバイス７００はさらにメモリ７０８を備えうる。このメモリ７０８は、プロセッサ７０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００５５】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００５６】
プロセッサ７０６はさらに、１または複数の別のデバイスまたはアクセス・ポイントによって、アクセス・ポイントとの通信における干渉の存在および／または範囲を検出する干渉定義部７１０に動作可能に結合されうる。検出された干渉によって、モバイル・デバイス７００は、例えば制御データのようなある関連する通信データを別のデバイスまたはアクセス・ポイントに効率的に通信することができなくなりうる。ブランク要求部７１２もまたプロセッサ７０６と動作可能に結合されており、１または複数の干渉デバイスに対して、関連する通信データを送信するためにモバイル・デバイス７００によって望まれる帯域幅の一部をブランクすることを求める要求を送信するために利用されうる。このブランク要求が満たされると、モバイル・デバイス７００は、支配的な干渉デバイスからの干渉なしで、関連するデータを帯域幅で送信しうる。
【００５７】
それに加えて、プロセッサ７０６は、１または複数の別のデバイスによって要求されると、帯域幅をブランクする帯域幅ブランカ７１４と動作可能に結合されうる。例えば、これは、モバイル・デバイス７００が、別のデバイス間の通信に支配的な干渉体である場合にひき起こる。さらに、帯域幅ブランカ７１４は、支配的な干渉体が、関連するデータを１または複数の別のデバイスへ通信するために、帯域幅を相互にブランクするために使用されうる。モバイル・デバイス７００はさらに、信号を変調する変調器７１６と、この信号を例えば基地局、別のモバイル・デバイス等へ送信する送信機７１８とを備える。プロセッサ７０６と別に示されているが、干渉定義部７１０、ブランク要求部７１２、帯域幅ブランカ７１４、復調器７０４、および／または、変調器７１６は、プロセッサ７０６または複数のプロセッサ（図示せず）のうちの一部でありうることが認識されるべきである。
【００５８】
図８は、別のデバイス間の通信における支配的な干渉を緩和するために、帯域幅の一部をブランクすることを容易にするシステム８００の例示である。このシステム８００は、複数の受信アンテナ８０６によって１または複数のモバイル・デバイス８０４から信号を受信する受信機８１０と、送信アンテナ８０８によって１または複数のモバイル・デバイス８０４へ信号を送信する送信機８２４とを備える、基地局８０２（例えば、アクセス・ポイント）を備える。受信機８１０は、受信アンテナ８０６から情報を受信する。さらに、受信した情報を復調する復調器８１２と動作可能に関連付けられている。復調されたシンボルは、図７に関連して上述されたプロセッサと類似のプロセッサ８１４によって分析される。プロセッサ８１４は、信号（例えばパイロット）強度および／または干渉強度を推定することに関連する情報、モバイル・デバイス８０４（または（図示しない）別の基地局）へ／から送信される／受信されたデータ、および／または、本明細書に記載されたさまざまな動作および機能を実行することに関連するその他任意の適切な情報を格納するメモリ８１６に結合されている。プロセッサ８１４はさらに、（例えば、モバイル・デバイス８０４のような）１または複数のデバイスと通信している基地局８０２の干渉に関連する情報を受信する干渉情報受信機８１８と、干渉を受けたデバイスが所望のデータを送信できるように、（例えば、１または複数のサブキャリアからなる１または複数のチャネルのような）帯域幅の一部をブランクしうるチャネル・ブランカ８２０とに結合されている。
【００５９】
例えば、干渉情報受信機８１８は、明示的な情報（あるいは、ブランク要求）を受信することによって、あるいは、例えば、１または複数のデバイス（例えば、モバイル・デバイス８０４）によって送信されたプリアンブルからパス・ロスを推定することによって、基地局８０２からの干渉の存在を判定しうる。干渉情報受信機８１８はまた、この干渉が他の干渉よりもより問題がある帯域幅の特定の部分に関連する情報を受信または推論しうる。この情報を用いて、チャネル・ブランカ８２０は、別のデバイス（例えば、モバイル・デバイス８０４および／またはその他のデバイス）間の別の通信における干渉の効果を低減するために、１または複数のチャネルにおける送信電力をブランクしうる。チャネル・ブランカ８２０は、指定されたチャネルまたは関連するサブキャリアについて、送信機８２４から実質的にすべての電力を取り除くこと、および／または、別のデバイス間の通信を十分に可能とする程度に電力を低減することのうちの少なくとも１つによってブランクしうる。さらに、プロセッサ８１４と別に示されているが、干渉情報受信機８１８、チャネル・ブランカ８２０、復調器８１２、および／または、変調器８２２は、プロセッサ８１４または複数のプロセッサ（図示せず）のうちの一部でありうることが認識されるべきである。
【００６０】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。それに加えて、基地局９１０および／またはモバイル・デバイス９５０は、その間の無線通信を容易にするために、本明細書に記載されたシステム（図１乃至図３、図７および図８）、技術／構成（図４）、および／または方法（図５および図６）を適用しうることが認識されるべきである。
【００６１】
基地局９１０では、多くのデータ・ストリームのためのトラフィック・データが、データ・ソース９１２から送信（ＴＸ）データ・プロセッサ９１４へ提供される。一例によれば、おのおののデータ・ストリームは、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００６２】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００６３】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００６４】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６５】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６６】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６７】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００６８】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００６９】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージを抽出する。さらに、プロセッサ９３０は、ビームフォーミング重みを決定するためにどの事前符合化行列を使用するかを決定するために、この抽出されたメッセージを処理する。
【００７０】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００７１】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７２】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００７３】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７４】
図１０に示すように、支配的な干渉を緩和するために、帯域幅のうちの１または複数の部分をブランクするシステム１０００が例示される。例えば、システム１０００は、基地局、モバイル・デバイス等の中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、別のデバイス間の個別の通信のために、無線通信装置の支配的な干渉を判定するための電子構成要素１００４を含みうる。例えば、干渉は、干渉に関連する情報を受信すること、別のデバイスのうちの１または複数のプリアンブルからパス・ロスを測定することに少なくとも部分的に基づいて干渉を見分けること、等によって判定されうる。それに加えて、帯域幅のうちの１または複数の部分を部分的にブランク可能にする干渉レベルが測定されうる。さらに、論理グループ１００２は、別の通信の品質を向上するために、ブランクすべき１または複数の制御チャネルを判定するための電子構成要素１００６を備えうる。一例では、制御チャネルは、通信のために使用される１または複数のＯＦＤＭシンボルのサブキャリアの数によって定義されうる。帯域幅の１または複数の部分をブランクすることによって、支配的な干渉体はもはやこれら部分に干渉を与えないので、干渉を受けているデバイスは、互いに質の高い送信を保証しうる。さらに、論理グループ１００２は、１または複数の制御チャネルをブランクするための電子構成要素１００８を備えうる。したがって、これらチャネルは実際には、制御チャネルを構成する帯域幅の部分によるデバイス間での確実な通信を容易にするためにブランクされる。さらに、システム１０００は、電子構成要素１００４、１００６、１００８に関連付けられた機能を実行するための命令群を保持したメモリ１０１０を含みうる。メモリ１０１０の外側にあるとして示されているが、電子構成要素１００４、１００６、１００８のうちの１または複数は、メモリ１０１０内に存在しうることが理解されるべきである。
【００７５】
図１１に移って、帯域幅のうちの一部によって、干渉を受けてないデータ送信を可能にするために、１または複数の帯域幅の部分をブランクすることを要求するシステム１１００が例示される。システム１１００は、例えば、基地局、モバイル・デバイス等に存在しうる。図示するように、システム１１００は、プロセッサ、ソフトウェア、または（例えば、ファームウェアのような）これらの組み合わせによって実現される機能を表しうる。システム１１００は、ブランク要求およびデータ送信を容易にする電子構成要素１１０２を含む。論理グループ１１０２は、支配的な干渉体による、帯域幅のうちの１または複数の部分における干渉を検出するための電子構成要素１１０４を含みうる。この干渉は、ＳＮＲ、制御データ等に基づいて検出され、帯域幅のうちのこれら部分は、例えば、制御データのような重要なデータを送信するために使用されるものでありうる。さらに、論理グループ１１０２は、帯域幅のうちのこれら部分によって、支配的な干渉体からブランクすることを要求する電子構成要素１１０６を含みうる。この点に関し、もしもブランクする要求が（部分的または完全に）認められた場合、帯域幅のうちのこれら部分による送信の品質を高めるために、帯域幅のうちのこれら部分にはわずかな干渉しか残らない。さらに、論理グループ１１０２は、帯域幅のうちのこれら部分によってデータを送信するための電子構成要素１１０８を備えうる。さらに、システム１１００は、電子構成要素１１０４、１１０６、１１０８に関連付けられた機能を実行するための命令群を保持するメモリ１１１０を含みうる。メモリ１１１０の外部にあるとして示されているが、電子構成要素１１０４、１１０６、１１０８は、メモリ１１１０の内部に存在しうることが理解されるべきである。
【００７６】
上述したものは、１または複数の実施形態の一例を含んでいる。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2014112878.tif 000003
【図２】
2014112878.tif 000004
【図３】
2014112878.tif 000005
【図４】
2014112878.tif 000006
【図５】
2014112878.tif 000007
【図６】
2014112878.tif 000008
【図７】
2014112878.tif 000009
【図８】
2014112878.tif 000010
【図９】
2014112878.tif 000011
【図１０】
2014112878.tif 000012
【図１１】
2014112878.tif 000013
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
無線ネットワーク通信における支配的な干渉を緩和する方法であって、
複数の通信デバイスによって利用される１または複数の制御チャネルにおける干渉を判定することと、
前記干渉を低減するためにブランクすべき、前記１または複数の制御チャネルのうちの少なくとも１つの、少なくとも部分を選択することと、
前記複数の通信デバイスのうち、前記干渉を受けた通信デバイスからプリアンブルを受信することと、
前記プリアンブルに少なくとも部分的に基づいて、パス・ロスを推定することと、
ブランクされる部分から電力が取り除かれる程度を示すブランク係数を、前記パス・ロスに少なくとも部分的に基づいて決定することと、
前記１または複数の制御チャネルの前記選択された部分における電力を、前記ブランク係数に基づいてブランクすることと
を備える方法。
【請求項２】
干渉レベルのインジケーションを受信することをさらに備え、
前記ブランクされた電力の少なくとも一部が、前記干渉レベルに関連している、請求項１に記載の方法。
【請求項３】
前記複数の通信デバイスによって利用される前記１または複数の制御チャネルで引き起こされた干渉のインジケーションを受信することをさらに備える、請求項１に記載の方法。
【請求項４】
前記複数の通信デバイスのうちの少なくとも１つによって干渉を受ける帯域幅の部分に関する情報を、その通信デバイスによって前記帯域幅の部分をブランクすることを要求するために、その通信デバイスに送信することをさらに備える、請求項３に記載の方法。
【請求項５】
前記干渉のインジケーションが、前記プリアンブルに少なくとも部分的に基づいて前記デバイスのパス・ロスを推定することに関連する推論から得られる、請求項３に記載の方法。
【請求項６】
前記干渉のインジケーションが、前記複数の通信デバイスのうちの１または複数から受信される、請求項３に記載の方法。
【請求項７】
ブランクすることが望まれる、前記１または複数の制御チャネルのサブセットに関する情報を、前記複数の通信デバイスのうちの少なくとも１つから受信することをさらに備える、請求項１に記載の方法。
【請求項８】
前記ブランクすることを補償するために、帯域幅の別の部分においてより高い電力で送信することをさらに備える、請求項１に記載の方法。
【請求項９】
無線通信装置であって、
干渉を受けたデバイスから受信したプリアンブルに少なくとも部分的に基づいてパス・ロスを推定し、
１または複数の制御チャネルにおいてその分だけブランクすべきであるブランク係数を、前記推定されたパス・ロスに少なくとも部分的に基づいて決定し、
支配的な干渉を緩和するために、前記干渉に関して受信された情報にしたがって、多元接続無線ネットワークにおける別の通信リンクの１または複数の制御チャネルをブランクする
ように構成された少なくとも１つのプロセッサと、
前記少なくとも１つのプロセッサに結合されたメモリと
を備える無線通信装置。
【請求項１０】
前記情報は、前記ブランクすることを要求する、前記別の通信に支配的に干渉を受けたデバイスから受信される、請求項９に記載の無線通信装置。
【請求項１１】
前記少なくとも１つのプロセッサはさらに、前記支配的に干渉を受けたデバイスにチャネルをブランクすることを相互に要求するように構成された、請求項１０に記載の無線通信装置。
【請求項１２】
前記ブランクすることは、フレームのセット内の前記別の通信の前記制御チャネルのサブセットにわたって実行され、
おのおののフレームは、複数のＯＦＤＭシンボルを備える、請求項９に記載の無線通信装置。
【請求項１３】
前記少なくとも１つのプロセッサはさらに、前記チャネルをブランクすることによって生じたロスを補償するために、ブランクされていないチャネルにおいてより高い電力で送信するように構成された、請求項９に記載の無線通信装置。
【請求項１４】
制御チャネルでの干渉を緩和するために、前記制御チャネルをブランクする無線通信装置であって、
別のデバイス間の別の通信に対する前記無線通信装置の支配的な干渉を判定する手段と、
前記別の通信の品質を向上させるために、ブランクすべき１または複数の制御チャネルを決定する手段と、
前記１または複数の制御チャネルをブランクする手段と、
前記別のデバイスのうちの少なくとも１つに相互にブランクすることを要求する手段と
を備える無線通信装置。
【請求項１５】
前記無線通信装置の干渉レベルを判定する手段をさらに備え、
前記レベルは、前記ブランクする手段によって利用される、請求項１４に記載の無線通信装置。
【請求項１６】
前記ブランクすべき制御チャネルは、前記別のデバイスのうちの少なくとも１つから受信した情報に少なくとも部分的に基づいて決定される、請求項１４に記載の無線通信装置。
【請求項１７】
前記制御チャネルは、帯域幅のうちの１または複数の隣接したフレームにわたって反復する、請求項１４に記載の無線通信装置。
【請求項１８】
前記ブランクすることは、前記帯域幅のうちの１または複数の隣接したフレームのサブセットにわたって実行される、請求項１７に記載の無線通信装置。
【請求項１９】
コンピュータ・プログラムであって、
少なくとも１つのコンピュータに、複数の通信デバイスによって利用される１または複数の制御チャネルにおける干渉を判定させるためのコードと、
前記少なくとも１つのコンピュータに、前記干渉を低減するためにブランクすべき、前記１または複数の制御チャネルのうちの少なくとも１つの、少なくとも部分を選択させるためのコードと、
前記少なくとも１つのコンピュータに、前記複数の通信デバイスのうち、前記干渉を受けた通信デバイスからプリアンブルを受信させるためのコードと、
前記少なくとも１つのコンピュータに、前記プリアンブルに少なくとも部分的に基づいて、パス・ロスを推定させるためのコードと、
前記少なくとも１つのコンピュータに、ブランクされる部分から電力が取り除かれる程度を示すブランク係数を、前記パス・ロスに少なくとも部分的に基づいて決定させるためのコードと、
前記少なくとも１つのコンピュータに、前記１または複数の制御チャネルのうちの選択における電力を、前記ブランク係数に基づいてブランクさせるためのコードと
を備えるコンピュータ・プログラム。
【請求項２０】
前記少なくとも１つのコンピュータに、干渉レベルのインジケーションを受信させるためのコードをさらに備え、
前記ブランクされた電力の一部は、前記干渉レベルに関連する、請求項１９に記載のコンピュータ・プログラム。
【請求項２１】
無線通信装置であって、
別のデバイス間の別の通信に対する前記無線通信装置の支配的な干渉を判定し、
前記別の通信の品質を高めるために、ブランクすべき１または複数の制御チャネルを決定し、
前記１または複数の制御チャネルをブランクし、
前記別のデバイスのうちの少なくとも１つに相互にブランクすることを要求する
ように構成されたプロセッサと、
前記プロセッサに結合されたメモリと
を備える無線通信装置。
【請求項２２】
無線通信ネットワークにおいて制御チャネルにわたってブランクすることを要求する方法であって、
１または複数の制御チャネルにおける、支配的な干渉体による、デバイスとの通信に対する干渉を検出することと、
前記支配的な干渉体に、前記１または複数の制御チャネルのサブセットをブランクすることを要求することと、
前記１または複数の制御チャネルで、前記デバイスへ制御データを送信することと、
前記支配的な干渉体の１または複数の制御チャネルをブランクすることの要求を受信することと、
前記要求された制御チャネルの一部を、ブランク係数に基づいてブランクすることと
を備える方法。
【請求項２３】
前記支配的な干渉体によってブランクされるべき制御チャネルのインジケーションを受信することをさらに備える、請求項２２に記載の方法。
【請求項２４】
前記ブランクすることを要求するためにネットワーク構成要素を導入することをさらに備える、請求項２２に記載の方法。
【請求項２５】
無線通信装置であって、
１または複数の制御チャネルにおける支配的な干渉体に前記１または複数の制御チャネルをブランクすることを要求し、
前記制御チャネルによって制御データを受信デバイスへ送信し、
１または複数の制御チャネルを相互にブランクする要求を前記支配的な干渉体から受信する
ように構成された少なくとも１つのプロセッサと、
前記少なくとも１つのプロセッサに結合されたメモリと
を備える無線通信装置。
【請求項２６】
前記少なくとも１つのプロセッサはさらに、前記支配的な干渉体がブランクしている１または複数のチャネルを決定するように構成された、請求項２５に記載の無線通信装置。
【請求項２７】
前記少なくとも１つのプロセッサはさらに、前記要求にしたがって、前記支配的な干渉体の１または複数の制御チャネルをブランクするように構成された、請求項２５に記載の無線通信装置。
【請求項２８】
前記少なくとも１つのプロセッサはさらに、前記支配的な干渉体に前記ブランクすることの要求を送信するために、前記受信デバイスを利用するように構成された、請求項２５に記載の無線通信装置。
【請求項２９】
干渉を受けた帯域幅の１または複数の部分をブランクすることを要求する無線通信装置であって、
帯域幅の１または複数の部分にわたる支配的な干渉体による干渉を検出する手段と、
前記帯域幅の部分にわたってブランクすることを前記支配的な干渉体に要求する手段と、
前記帯域幅の部分にわたってデータを送信する手段と、
前記支配的な干渉体のための帯域幅の部分を相互にブランクすることに関連する要求を、前記支配的な干渉体から受信する手段と
を備える無線通信装置。
【請求項３０】
前記支配的な干渉体がブランクしている帯域幅の１または複数の部分に関する情報を受信する手段をさらに備える、請求項２９に記載の無線通信装置。
【請求項３１】
前記支配的な干渉体によって要求された前記帯域幅の部分の少なくともサブセットをブランクする手段をさらに備える、請求項２９に記載の無線通信装置。
【請求項３２】
前記ブランクすることの要求が、１または複数の別のデバイスによって前記支配的な干渉体へ送信される、請求項２９に記載の無線通信装置。
【請求項３３】
コンピュータ・プログラムであって、
少なくとも１つのコンピュータに、１または複数の制御チャネルでの、支配的な干渉体による、デバイスとの通信に対する干渉を検出させるためのコードと、
前記少なくとも１つのコンピュータに、前記支配的な干渉体に、前記１または複数の制御チャネルのサブセットをブランクすることを要求させるためのコードと、
前記少なくとも１つのコンピュータに、前記１または複数の制御チャネルにおいて前記デバイスへ制御データを送信させるためのコードと、
前記少なくとも１つのコンピュータに、前記支配的な干渉体の１または複数の制御チャネルをブランクすることの要求を受信させるためのコードと、
前記少なくとも１つのコンピュータに、前記要求された制御チャネルの一部を、ブランク係数に基づいてブランクさせるためのコードと
を備えるコンピュータ・プログラム。
【請求項３４】
前記少なくとも１つのコンピュータに、前記支配的な干渉体によってブランクされるべき制御チャネルのインジケーションを受信させるためのコードをさらに備える、請求項３３に記載のコンピュータ・プログラム。
【請求項３５】
無線通信装置であって、
帯域幅の１または複数の部分にわたる支配的な干渉体による干渉を検出し、
前記帯域幅の部分にわたってブランクすることを前記支配的な干渉体に要求し、
前記帯域幅の部分にわたってデータを送信し、
前記支配的な干渉体のための帯域幅の部分を相互にブランクすることに関連する要求を前記支配的な干渉体から受信する
ように構成されたプロセッサと、
前記プロセッサに結合されたメモリと
を備える無線通信装置。
【手続補正２】
【補正対象書類名】明細書
【補正対象項目名】００７６
【補正方法】変更
【補正の内容】
【００７６】
上述したものは、１または複数の実施形態の一例を含んでいる。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
なお、以下に、出願当初の特許請求の範囲に記載された発明を付記する。
［Ｃ１］無線ネットワーク通信における支配的な干渉を緩和する方法であって、
複数の通信デバイスによって利用される１または複数の制御チャネルにおける干渉を判定することと、
前記１または複数の制御チャネルのうち、前記干渉を低減するためにブランクすべき部分を選択することと、
前記１または複数の制御チャネルのうちの選択された部分における電力の少なくとも一部をブランクすることと
を備える方法。
［Ｃ２］干渉レベルを示すインジケーションを受信することをさらに備え、
前記ブランクされた電力の少なくとも一部が、前記干渉レベルに関連しているＣ１に記載の方法。
［Ｃ３］前記複数の通信デバイスによって利用される１または複数の制御チャネルで引き起こされた干渉を示すインジケーションを受信することをさらに備えるＣ１に記載の方法。
［Ｃ４］前記複数の通信デバイスのうちの少なくとも１つによって干渉を受ける帯域幅の部分に関する情報を、通信デバイスによって前記部分をブランクすることを要求するために、この通信デバイスに送信することをさらに備えるＣ３に記載の方法。
［Ｃ５］前記複数の通信デバイスのうちの少なくとも１つからプリアンブルを受信することをさらに備え、
前記干渉を示すインジケーションが、前記通信デバイスのパス・ロスを、前記プリアンブルに少なくとも部分的に基づいて推定することに関連する推論から得られるＣ３に記載の方法。
［Ｃ６］前記干渉を示すインジケーションが、前記複数の通信デバイスのうちの１または複数から受信されるＣ３に記載の方法。
［Ｃ７］ブランクすることが望まれる１または複数の制御チャネルのサブセットに関する情報を、前記複数の通信デバイスのうちの少なくとも１つから受信することをさらに備えるＣ１に記載の方法。
［Ｃ８］前記ブランクすることを補償するために、帯域幅のうちの別の部分において高い電力で送信することをさらに備えるＣ１に記載の方法。
［Ｃ９］無線通信装置であって、
支配的な干渉に関して受信された情報にしたがって、前記支配的な干渉を緩和するために、多元接続無線ネットワークにおける別の通信リンクの１または複数の制御チャネルをブランクするように構成された少なくとも１つのプロセッサと、
前記少なくとも１つのプロセッサに結合されたメモリと
を備える無線通信装置。
［Ｃ１０］前記少なくとも１つのプロセッサはさらに、ブランクすべき前記１または複数の制御チャネルのためのブランク係数を決定するように構成されたＣ９に記載の無線通信装置。
［Ｃ１１］前記少なくとも１つのプロセッサはさらに、干渉を受けたデバイスから受信したプリアンブルに少なくとも部分的に基づいてパス・ロスを推定するように構成され、
前記ブランク係数は、前記推定されたパス・ロスに少なくとも部分的に基づいて決定されるＣ１０に記載の無線通信装置。
［Ｃ１２］前記情報は、前記ブランクすることを要求する別の通信の、支配的に干渉を受けたデバイスから受信されるＣ９に記載の無線通信装置。
［Ｃ１３］前記少なくとも１つのプロセッサはさらに、前記支配的に干渉を受けたデバイスから相互にチャネルをブランクすることを要求するように構成されたＣ１２に記載の無線通信装置。
［Ｃ１４］前記ブランクすることは、フレームのセット内の別の通信の制御チャネルのサブセットで実行され、
おのおののフレームは、複数のＯＦＤＭシンボルを備えるＣ９に記載の無線通信装置。
［Ｃ１５］前記少なくとも１つのプロセッサはさらに、前記チャネルをブランクすることによって生じたロスを補償するために、ブランクされていないチャネルにおいてより高い電力で送信するように構成されたＣ９に記載の無線通信装置。
［Ｃ１６］干渉を緩和するために、制御チャネルをブランクする無線通信装置であって、
別のデバイス間の別の通信のために、前記無線通信装置の支配的な干渉を判定する手段と、
前記別の通信の品質を向上するために、ブランクすべき１または複数の制御チャネルを決定する手段と、
前記１または複数の制御チャネルをブランクする手段と
を備える無線通信装置。
［Ｃ１７］前記無線通信装置の干渉レベルを判定する手段をさらに備え、
前記干渉レベルは、前記ブランクする手段によって利用されるＣ１６に記載の無線通信装置。
［Ｃ１８］前記ブランクすべき制御チャネルは、前記別のデバイスのうちの少なくとも１つから受信した情報に少なくとも部分的に基づいて決定されるＣ１６に記載の無線通信装置。
［Ｃ１９］前記制御チャネルは、帯域幅のうちの１または複数の隣接したフレームにわたって反復するＣ１６に記載の無線通信装置。
［Ｃ２０］前記ブランクすることは、前記帯域幅のうちの１または複数の隣接したフレームのサブセットについて実行されるＣ１９に記載の無線通信装置。
［Ｃ２１］前記別のデバイスのうちの少なくとも１つから、相互にブランクすることを要求する手段をさらに備えるＣ１６に記載の無線通信装置。
［Ｃ２２］コンピュータ読取可能媒体を備えるコンピュータ・プログラム製品であって、
前記コンピュータ読取可能媒体は、
少なくとも１つのコンピュータに対して、複数の通信デバイスによって利用される１または複数の制御チャネルにおける干渉を判定させるためのコードと、
前記少なくとも１つのコンピュータに対して、前記干渉を低減するために、ブランクすべき前記１または複数の制御チャネルの部分を選択させるためのコードと、
前記少なくとも１つのコンピュータに対して、前記１または複数の制御チャネルのうちの選択された部分について、電力の少なくとも一部をブランクさせるためのコードと
を備えるコンピュータ・プログラム製品。
［Ｃ２３］前記少なくとも１つのコンピュータに対して、干渉レベルを示すインジケーションを受信させるためのコードをさらに備え、
前記ブランクされた電力の一部は、前記干渉レベルに関連するＣ２３に記載のコンピュータ・プログラム製品。
［Ｃ２４］無線通信装置であって、
別のデバイス間の別の通信に対する前記無線通信装置の支配的な干渉を判定し、前記別の通信の品質を高めるために、ブランクすべき１または複数の制御チャネルを決定するように構成されたプロセッサと、
前記プロセッサに結合されたメモリと
を備える無線通信装置。
［Ｃ２５］無線通信ネットワークにおける制御チャネルをブランクすることを要求する方法であって、
デバイスとの通信に対する、１または複数の制御チャネルにおける支配的な干渉体による干渉を検出することと、
前記支配的な干渉体から、前記１または複数の制御チャネルのサブセットをブランクすることを要求することと、
前記１または複数の制御チャネルで前記デバイスへ制御データを送信することと
を備える方法。
［Ｃ２６］前記支配的な干渉体によってブランクされるべき制御チャネルを示すインジケーションを受信することをさらに備えるＣ２５に記載の方法。
［Ｃ２７］前記支配的な干渉体の１または複数の制御チャネルをブランクする要求を受信することをさらに備えるＣ２５に記載の方法。
［Ｃ２８］前記要求された制御チャネルの一部をブランクすることをさらに備えるＣ２７に記載の方法。
［Ｃ２９］前記ブランクすることを要求するネットワーク構成要素を導入することをさらに備えるＣ２５に記載の方法。
［Ｃ３０］無線通信装置であって、
支配的な干渉体から１または複数の制御チャネルをブランクすることを要求し、前記制御チャネルによって制御データを受信デバイスへ送信するように構成された少なくとも１つのプロセッサと、
前記少なくとも１つのプロセッサに結合されたメモリと
を備える無線通信装置。
［Ｃ３１］前記少なくとも１つのプロセッサはさらに、前記支配的な干渉体がブランクする１または複数のチャネルを決定するように構成されたＣ３０に記載の無線通信装置。
［Ｃ３２］前記少なくとも１つのプロセッサはさらに、１または複数の制御チャネルを相互にブランクする要求を前記支配的な干渉体から受信するように構成されたＣ３０に記載の無線通信装置。
［Ｃ３３］前記少なくとも１つのプロセッサはさらに、前記要求にしたがって前記支配的な干渉体の１または複数の制御チャネルをブランクするように構成されたＣ３２に記載の無線通信装置。
［Ｃ３４］前記少なくとも１つのプロセッサはさらに、前記支配的な干渉体に対して前記ブランクする要求を送信するために、前記受信デバイスを利用するように構成されたＣ３０に記載の無線通信装置。
［Ｃ３５］干渉を受けた帯域幅のうちの１または複数の部分をブランクすることを要求する無線通信装置であって、
帯域幅のうちの１または複数の部分における、支配的な干渉体による干渉を検出する手段と、
前記帯域幅のうちの１または複数の部分を前記支配的な干渉体からブランクすることを要求する手段と、
前記帯域幅のうちの１または複数の部分でデータを送信する手段と
を備える無線通信装置。
［Ｃ３６］前記帯域幅のうち、前記支配的な干渉体がブランクしている１または複数の部分に関する情報を受信する手段をさらに備えるＣ３５に記載の無線通信装置。
［Ｃ３７］前記支配的な干渉体に関する帯域幅のうちの１または複数の部分を相互にブランクすることに関連する要求を前記支配的な干渉体から受信する手段をさらに備えるＣ３５に記載の無線通信装置。
［Ｃ３８］前記支配的な干渉体によって要求された、前記帯域幅のうちの１または複数の部分のうちの少なくともサブセットをブランクする手段をさらに備えるＣ３５に記載の無線通信装置。
［Ｃ３９］前記ブランクする要求が、１または複数の別のデバイスによって前記支配的な干渉体へ送信されるＣ３５に記載の無線通信装置。
［Ｃ４０］コンピュータ読取可能媒体を備えるコンピュータ・プログラム製品であって、
前記コンピュータ読取可能媒体は、
少なくとも１つのコンピュータに対して、１または複数の制御チャネルでの、デバイスとの通信における支配的な干渉体による干渉を検出させるためのコードと、
前記少なくとも１つのコンピュータに対して、前記支配的な干渉体から、前記１または複数の制御チャネルのサブセットをブランクすることを要求させるためのコードと、
前記少なくとも１つのコンピュータに対して、前記１または複数の制御チャネルにおいて、前記デバイスへ制御データを送信させるためのコードと
を備えるコンピュータ・プログラム製品。
［Ｃ４１］前記少なくとも１つのコンピュータに対して、前記支配的な干渉体によってブランクされるべき制御チャネルを示すインジケーションを受信させるためのコードをさらに備えるＣ４０に記載のコンピュータ・プログラム製品。
［Ｃ４２］無線通信装置であって、
帯域幅のうちの１または複数の部分における支配的な干渉体による干渉を検出し、前記帯域幅のうちの１または複数の部分を前記支配的な干渉体からブランクすることを要求するように構成されたプロセッサと、
前記プロセッサに結合されたメモリと
を備える無線通信装置。
【外国語明細書】
2014112878000001.pdf